(57)【特許請求の範囲】
【請求項１】
ヒンジ部を介して連続する容器部と蓋体とが一体に形成されてなる本体と、該本体内に装着可能で収納物を納めることができる収納部を有する収納ケースであって、
収納部は第１の収納皿と第２の収納皿と第３の収納皿とが順に直列に並んで一体に成形されたものを三つ折りにしたものであり、
第１の収納皿は第２の収納皿と反対側の端部が蓋体のヒンジ部近傍に軸着されており、第２の収納皿は第３の収納皿側の端部が容器部のヒンジ部近傍に軸着されており、第３の収納皿は蓋体を開けた際に一部が第２の収納皿の一部と当接することにより第２の収納皿と共に起き上がることを特徴とする収納ケース。
【請求項２】
本体内部に電池収納部を備えており、電池収納部は角型電池を収納するための角型用溝と、円筒型電池を収納するための円筒型用溝とが複合的に設けられていることを特徴する請求項１記載の収納ケース。
【請求項３】
容器と前記容器内に装着される第１および第２収納皿とを備え、前記第１および第２収納皿はそれぞれ側板を有しかつ前記第１および第２収納皿の少なくとも一方が前記容器に軸着される軸着部を有する収納ケースにおいて、
前記第１収納皿の前記側板の基端部に切欠を設け、前記第１および第２収納皿の一方に力が作用して前記軸着部を中心に回動したとき、前記切欠が前記第２収納皿の側板の基端部に当接することによって前記第１および第２収納皿が共に起き上がるようにしたことを特徴とする、収納ケース。
【請求項４】
前記切欠は基端に近づくにつれて前記側板の高さを減じるように傾斜した傾斜部を有し、前記第１および第２収納皿の互いの自由端は前記傾斜部の角度に応じた角度で開かれる、請求項３記載の収納ケース。
【請求項５】
前記容器は容器部と蓋体とを含み、前記蓋体を開くとき前記第１および第２収納皿の前記一方に前記力が作用する、請求項３または４記載の収納ケース。
【請求項６】
前記第１収納皿の前記側板の前記基端部は外方に折れ曲がり可能に形成された当接板を含み、前記切欠は前記当接板に形成され、前記第１収納皿は前記当接板を閉じた状態で前記容器内に装着される、請求項３ないし５のいずれかに記載の収納ケース。
【発明の詳細な説明】
【０００１】
【発明の属する技術分野】
本発明はＭＤ，ＣＤ，ＦＤ，ＰＤ，ＭＯ，ＤＶＤ，カセットテープ，各種カード類等を収納する収納ケースに関するものである。
【０００２】
【従来の技術】
近年ではヘッドホンステレオ等の携帯型音響機器やパソコンの小型化により、屋外で音楽等を聞いたり、出先でパソコンを使って各種処理を行うことが日常的に行われている。
【０００３】
その場合には、多くの音楽等を聞いたり、データを管理するために、複数の情報記録媒体、例えばＭＤ，ＦＤ，カセットテープ等を同時に持ち歩く必要がでてくる。
【０００４】
例えば１台のポータブルＭＤプレイヤーとそれにセットした１枚のＭＤの他に、数枚のお気に入りのＭＤを持ち歩くようなことが多い。その際に、ＭＤ等を直にカバン等に入れると、使いたいときに探しにくいばかりでなく、ＭＤ等の破損を招くことがある。そこで、ＭＤ等を収納するための小型のケースが用いられることが多い。
【０００５】
図５は従来のＭＤケース(20)を示した図であり、ケース(20)が開いた状態を示している。このケースは両側の扉体(21)，(22)の内側に各２枚のＭＤ(30)を収納できる。そして、両扉体(21)，(22)の間に位置する背部(24)には仕切り体(23)がネジ止めされており、仕切り体(23)は両側に計４枚のＭＤ(30)を収納することができる。
【０００６】
しかしながら、仕切り体(23)にＭＤ(30)を収納又は取出しするのは比較的容易であるが、扉体(21)，(22)の内側のＭＤ(30)の収納又は取出しはＭＤ(30)を仕切り体(23)側にスライドさせる必要があるので、仕切り体(23)がじゃまになる。したがって、扉体(21)，(22)を大きく開けないとＭＤ(30)の収納や取り出しが行いにくく、使い勝手がよくない。
【０００７】
また、仕切り体(23)は背部(24)内側にネジ止め又は強固な接着を行う必要が有り、生産性が悪い。更には、スライドを多用した金型を使用するため、金型の構造が複雑となり、金型のコストが高く、耐久性も低く、メンテナンス費用も高くつくという問題がある。
【０００８】
【発明が解決しようとする課題】
そこで、簡単な構成で組立て易く、収納物の出し入れがしやすく、コンパクトで、しかも生産コストの低い収納ケースが求められている。
【０００９】
【課題を解決するための手段】
本発明の収納ケースは、ヒンジ部(1a)を介して連続する容器部(2)と蓋体(3)とが一体に成形されてなる本体(1)と、該本体(1)内に装着可能で収納物を納めることのできる収納部(4)とを有する収納ケースであって、収納部(4)は第１の収納皿(4a)と第２の収納皿(4b)と第３の収納皿(4c)とが順に直列に並んで一体に成形されたものを三つ折りにしたものであり、第１の収納皿(4a)は第２の収納皿(4b)と反対側の端部が蓋体(3)のヒンジ部(1a)近傍に軸着されており、第２の収納皿(4b)は第３の収納皿(4c)側の端部が容器部(2)のヒンジ部(1a)近傍に軸着されており、第３の収納皿(4c)は蓋体(3)を開けた際に一部(4d)が第２の収納皿(4b)の一部と当接することにより第２の収納皿(4b)と共に起き上がることを特徴とする。
【００１０】
また、上記において、本体(1) 内部に電池収納部(10)を備えており、電池収納部(10)は角型電池を収納するための角型用溝(10a) と、円筒型電池を収納するための円筒型用溝(10b) とが複合的に設けられていることを特徴とする。
本発明の基本的形態は、容器と容器内に装着される第１および第２収納皿とを備え、第１および第２収納皿はそれぞれ側板を有しかつ第１および第２収納皿の少なくとも一方が容器に軸着される軸着部を有する収納ケースにおいて、第１収納皿の側板の基端部に切欠を設け、第１および第２収納皿の一方に力が作用して軸着部を中心に回動したとき、切欠が第２収納皿の側板の基端部に当接することによって第１および第２収納皿が起き上がるようにしたことを特徴とする、収納ケースである。
なお、切欠は基端に近づくにつれて側板の高さを減じるように傾斜した傾斜部を有し、したがって、第１および第２収納皿の互いの自由端は傾斜部の角度に応じた角度で開かれる。
また、容器は容器部と蓋体とを含み、蓋体を開くとき第１および第２収納皿の一方に力が作用するようにしてもよい。
さらに、第１収納皿の側板の基端部は外方に折れ曲がり可能に形成された当接板を含み、切欠は当接板に形成され、第１収納皿は当接板を閉じた状態で容器内に装着される。したがって、当接板は容器に拘束されてその後外方に開くことはない。
【００１１】
【発明の実施の形態】
以下、本発明を好適な実施例をＭＤ収納ケースを例にとって説明する。
［実施例］
図１は本発明のＭＤ用収納ケースの構成部品を示した図である。(1)は容器部(2)と蓋体(3)とが一体成形されてなる本体である。(2a)は容器部(2)に設けられたピン穴であり、(3a)は蓋体(3)に設けられたピン穴(3a)である。
【００１２】
(4)は三つ折りになったＭＤの収納部であり、本体(1)内に装着される。収納部(4)は３つの収納皿(4a)，(4b)，(4c)が一体成形されてなるものであり、各収納皿(4a)，(4b)，(4c)には各１枚のＭＤを収納できるようになっている。
【００１３】
(5)は容器部側突出ピンであり収納皿(4b)に突出して設けられている。(6)は蓋体側突出ピンであり収納皿(4a)に突出して設けられている。
【００１４】
図２は折り曲げ前の収納部(4)を示した図である。組み立てに際しては基本的に収納部(4)を三つ折りにし、容器部側突出ピン(5)を容器部(2)のピン穴(2a)に差し込み、蓋体側突出ピン(6)を蓋体(3)のピン穴(3a)に差し込むだけで、容易に収納部(4)を本体(1)に装着して完成させることができる。
【００１５】
収納皿(4a)は蓋体(3)に、収納皿(4b)は容器部(2)に取り付けられているが、いずれもピン(5)，(6)を回転軸として蓋体(3)又は容器部(2)に対して回動することができる。
【００１６】
図３は図２において丸で囲んだ部分の拡大図であり、(A)は収納部(4)を成形した状態、(B)は収納皿(4c)を折り曲げた状態、(C)は収納皿(4c)に設けられた当接板(4d)を折り曲げて（伸ばして）収納皿(4b)と当接可能にした状態を示している。
【００１７】
当接板(4d)は後述のように蓋体(3)を開けたときに収納皿(4c)を自動的に立ち上がらせるための部位であり、成形の都合上、最初は曲げた状態で成形されている。当接板(4d)の折り曲げは軽い力で行うことができ、収納部(4)を本体(1)に組み込んだ後は、当接板(4d)に元の状態に戻る方向に力が働いても本体(1)と干渉するために戻ってしまうことはない。
【００１８】
このように接着剤やネジによる固定を必要とすることなく、収納部(4)を折り畳んで本体に装着するだけであるので、組み立てが非常に簡単で従来品に比べて格段に生産性が高い。また、スライド等を用いない単純な金型構造であるので、金型を安価で作ることができ、金型の耐久性が高く、保守も容易であるので、金型構造に起因するコストを低く抑えることができる。
【００１９】
(7)は収納皿(4a)，(4b)，(4c)に設けられたレール部であり、このレール部と収納皿(4a)，(4b)，(4c)の面との間にＭＤを滑り込ませるようにして収納皿にＭＤを収納することができる。又、(8)は、ＭＤ収納時に収納皿(4a)，(4b)，(4c)から抜け落ちるのを防止するための突起部であり、ＭＤ収納時にＭＤの凹部を係止するようになっている。
【００２０】
使用に際して、本体(1)のヒンジ部(1a)を回転軸として蓋体(2)を開けると、蓋体(3)のピン穴(3a)の位置が移動し、ピン穴(3a)に嵌め込まれた蓋体側突出ピン(6)も共に移動する。これにより蓋体(3)を開けることにより、収納皿(4a)と、それに繋がる収納皿(4b)が立ち上がる。このとき、収納皿(4a)と収納皿(4b)は逆Ｖ字状（山折り）になる。
【００２１】
また収納皿(4b)と繋がる収納皿(4c)は、両者(4b)，(4c)の繋がり部分において、当接板(4d)が収納皿(4b)と当接するので、収納皿(4c)は収納皿(4b)と共に立ち上がることとなる。このとき収納皿(4c)と収納皿(4b)はＶ字状（谷折り）になる。
【００２２】
すなわち、蓋体(3)を開けることにより各収納皿(4a)，(4b)，(4c)が全て自動的に立ち上がることとなる。蓋体(3)を大きく開けなくともＭＤを抜き差しする方向には、じゃまになる物がないので、容易にＭＤの収納，取出を行うことができる。
【００２３】
［実施例２］
図４は本実施例の構成部品を示した図である。基本構成は実施例１と同様であるが、ＭＤプレイヤーの予備電池を収納可能である点が異なる。(10)は電池を収納するための電池収納部である。
【００２４】
電池収納部(10)には単三等の円筒型の電池でも、ガム型等の角型の電池でも収納可能なように、角型用収納溝(10a)の内側に円筒型用収納溝(10b)が設けられている。したがって、電池収納溝は角型用収納溝(10a)と円筒型用収納溝(10b)との複合的な形状となる。
【００２５】
尚、上記各実施例ではＭＤの収納ケースを例にして説明したが、ＦＤやＣＤ等のような他の記録媒体や、クレジットカード，キャッシュカード，メンバーカード等の各種カード等の収納ケースとすることも可能である。
【００２６】
又、実施例ではＭＤを３枚収納可能なケースを例示したが、１つの本体内に複数の収納部(4)を収納可能とすることにより、例えば６枚収納可能なケースとすること等もできる。
【００２７】
【発明の効果】
以上述べたように本発明により、簡単な構成で組立て易く、収納物の出し入れがしやすく、コンパクトで、しかも生産コストの低い収納ケースを提供することができる。
【図面の簡単な説明】
【図１】実施例１の構成部品を示した図。
【図２】折り曲げ前の収納部を示した図。
【図３】図２において丸で囲んだ部分の拡大図（３態）。
【図４】実施例２の構成部品を示した図。
【図５】従来のＭＤ収納ケースを示した図（開状態）。
【符号の説明】
(1)    本体
(2)    収納部
(2a)    ピン穴
(3)    蓋体
(3a)    ピン穴
(4)    収納部
(4a)    （第１の）収納皿
(4b)    （第２の）収納皿
(4c)    （第３の）収納皿
(4d)     当接板
(5)    突出ピン
(6)    突出ピン
(7)    レール部
(8)    突起部
(10)    電池収納部
【図１】
0003686497.tif 000002
【図２】
0003686497.tif 000003
【図３】
0003686497.tif 000004
【図４】
0003686497.tif 000005
【図５】
0003686497.tif 000006